(57)【要約】【課題】  安全かつ容易にアーマロッドを電線に取り付けることを可能にする。【解決手段】  線状体で螺旋状に形成されたアーマロッドＡの架空送電線Ｌへの取り付けを補助するアーマロッド取付補助具１であって、ワイヤ２の一端部に設けられ、アーマロッドＡを着脱自在に保持する保持ブロック３と、ワイヤ２の他端部に設けられ、架空送電線Ｌに係止自在なダブルフック４と、を備える。【選択図】  図１
2016171651.tif 000002
【特許請求の範囲】
【請求項１】
線状体で螺旋状に形成されたアーマロッドの電線への取り付けを補助するアーマロッド取付補助具であって、
ワイヤの一端部に設けられ、前記アーマロッドを着脱自在に保持する保持手段と、
前記ワイヤの他端部に設けられ、前記電線に係止自在な係止手段と、
を備えることを特徴とするアーマロッド取付補助具。
【請求項２】
前記係止手段は、逆Ｊ字状の第１のフックと第２のフックとを有し、該第１のフックと第２のフックとは、互いに反対方向から前記電線に係止する、
ことを特徴とする請求項１に記載のアーマロッド取付補助具。
【請求項３】
前記保持手段は、弾性変形自在な保持ブロックで構成され、該保持ブロックに装着溝が形成され、該装着溝に前記アーマロッドを圧入することで前記アーマロッドが保持される、
ことを特徴とする請求項１または２のいずれか１項に記載のアーマロッド取付補助具。
【発明の詳細な説明】
【技術分野】
【０００１】
この発明は、アーマロッドの電線への取り付けを補助するアーマロッド取付補助具に関する。
【背景技術】
【０００２】
例えば、架空送電線のねじり強度や曲げ強度などを向上させたり、錘を付けて架空送電線の振動を抑制したりするために、アーマロッドを架空送電線に取り付ける場合がある。このアーマロッドは、アルミ合金などから構成された線状体で、螺旋状に形成され、架空送電線に巻き付けて取り付けられるものである。このようなアーマロッドを鉄塔間の架空送電線に取り付ける場合、数本の長いアーマロッドを長袋に入れて鉄塔を登り、架空送電線に線乗りした状態で、長袋からアーマロッドを１本ずつ取り出して架空送電線に巻き付けている。また、アーマロッドを自動的に電線に巻き付けることが可能な専用の機械が知られている（例えば、特許文献１参照。）。
【先行技術文献】
【特許文献】
【０００３】
【特許文献１】特開平０９−３３１６１７号公報
【発明の概要】
【発明が解決しようとする課題】
【０００４】
ところで、アーマロッドを取り付ける際には、架空送電線に線乗りした状態で作業を行うため、姿勢が悪く、しかも両手が使える状態ではないため、作業が困難であり、アーマロッドを落下させてしまうおそれもある。また、長袋からアーマロッドを取り出す際に体勢が崩れた場合に、手に持っているアーマロッドを落下させてしまうおそれがある。一方、アーマロッドを自動的に巻き付ける機械では、設備費用を要するばかりでなく、設置に時間と労力とを要し、作業スピードの低下につながるとともに、機械を落下させてしまうおそれがある。
【０００５】
そこで、この発明は、安全かつ容易にアーマロッドを電線に取り付けることを可能にする、アーマロッド取付補助具を提供することを目的とする。
【課題を解決するための手段】
【０００６】
上記課題を解決するために、請求項１の発明は、線状体で螺旋状に形成されたアーマロッドの電線への取り付けを補助するアーマロッド取付補助具であって、ワイヤの一端部に設けられ、前記アーマロッドを着脱自在に保持する保持手段と、前記ワイヤの他端部に設けられ、前記電線に係止自在な係止手段と、を備えることを特徴とする。
【０００７】
この発明によれば、保持手段でアーマロッドを保持し、係止手段を安全帯のフックなどに係止して鉄塔に登る。次に、アーマロッドを電線に巻き付ける際には、係止手段を電線に係止し、アーマロッドを電線に２、３回巻き付けた後に、保持手段や係止手段を取り外し、アーマロッドの巻き付けを続行する。
【０００８】
請求項２の発明は、請求項１に記載のアーマロッド取付補助具において、前記係止手段は、逆Ｊ字状の第１のフックと第２のフックとを有し、該第１のフックと第２のフックとは、互いに反対方向から前記電線に係止する、ことを特徴とする。
【０００９】
請求項３の発明は、請求項１または２に記載のアーマロッド取付補助具において、前記保持手段は、弾性変形自在な保持ブロックで構成され、該保持ブロックに装着溝が形成され、該装着溝に前記アーマロッドを圧入することで前記アーマロッドが保持される、ことを特徴とする。
【発明の効果】
【００１０】
請求項１の発明によれば、鉄塔に登ったりする際には、係止手段を安全帯のフックなどに係止することで、アーマロッドを落下させることがない。また、アーマロッドを電線に巻き付ける際には、係止手段を電線に係止することで、アーマロッドが電線に連結されてアーマロッドが落下することがなくなり、安全かつ容易にアーマロッドを電線に取り付けることができる。
【００１１】
請求項２の発明によれば、第１のフックと第２のフックとが互いに反対方向から電線に係止するため、第１のフックと第２のフックとで電線を挟持した状態となり、係止手段が電線から外れ難くなる。この結果、係止手段が電線から外れることによるアーマロッドの落下をより防止することができる。
【００１２】
請求項３の発明によれば、保持手段が弾性変形自在な保持ブロックで構成されているだけであるため、構成が簡易である。しかも、装着溝にアーマロッドを圧入するだけでアーマロッドを保持でき、装着溝からアーマロッドを引き抜くだけでアーマロッドの保持を解除できるため、容易かつ迅速にアーマロッドを着脱することができる。
【図面の簡単な説明】
【００１３】
【図１】この発明の実施の形態に係るアーマロッド取付補助具の使用状態を示す正面図である。
【図２】図１のアーマロッド取付補助具を示す図である。
【図３】図１のアーマロッド取付補助具を使用してアーマロッドを架空送電線に巻き付けている状態を示す図である。
【発明を実施するための形態】
【００１４】
以下、この発明を図示の実施の形態に基づいて説明する。
【００１５】
図１は、この発明の実施の形態に係るアーマロッド取付補助具１の使用状態を示す正面図である。このアーマロッド取付補助具１は、アーマロッドＡの電線への取り付けを補助する器具であり、主として、ワイヤ２と、保持ブロック（保持手段）３と、ダブルフック（係止手段）４と、を備えている。ここで、アーマロッドＡは、アルミ合金などから構成された線状体で、螺旋状に形成され、架空送電線（電線）Ｌのねじり強度や曲げ強度などを向上させたり、錘を付けて架空送電線Ｌの振動を抑制したりするために、アーマロッドＡを架空送電線Ｌに取り付ける場合について、主として説明する。
【００１６】
ワイヤ２は、変形自在な索条体で、その長さは、後述するアーマロッドＡの巻き付け作業がしやすいように設定されている。
【００１７】
保持ブロック３は、ワイヤ２の一端部に設けられ、アーマロッドＡを直脱自在に保持するものである。すなわち、図２に示すように、ゴムなどの弾性変形自在な材料で構成された直方体状のブロック体で、一面に波状の装着溝３１が形成されている。この装着溝３１は、アーマロッドＡの波形状（螺旋形状）とほぼ同等の形状に形成され、この装着溝３１内にアーマロッドＡを圧入、装着することで、保持ブロック３がアーマロッドＡを挟持、保持し、装着溝３１からアーマロッドＡを引き抜くことで、保持ブロック３によるアーマロッドＡの保持が解除されるように、装着溝３１が形成されている。
【００１８】
ダブルフック４は、ワイヤ２の他端部に設けられ、架空送電線Ｌに係止自在なものである。すなわち、逆Ｊ字状の第１のフック４１と第２のフック４２とが結合されて構成され、それぞれのフック４１、４２が、互いに反対方向から（向かい合うようにして）架空送電線Ｌに係止するようになっている。
【００１９】
具体的には、第１のフック４１が、図１の紙面の表面側から裏面側に向かって架空送電線Ｌに係止し（架空送電線Ｌの手前から奥側に向かって係止し）、第２のフック４２が、図１の紙面の裏面側から表面側に向かって架空送電線Ｌに係止（架空送電線Ｌの奥側から手前に向かって係止）する。これにより、第１のフック４１と第２のフック４２とで架空送電線Ｌを挟持した状態となり、ダブルフック４が架空送電線Ｌから外れ難いようになっている。また、このようなダブルフック４は、作業員が装着する安全帯のフックなどにも掛けられるようになっている。
【００２０】
次に、このような構成のアーマロッド取付補助具１の作用および使用方法などについて説明する。
【００２１】
このアーマロッド取付補助具１を用いてアーマロッドＡを鉄塔間の架空送電線Ｌに取り付けるには、まず、上記のようにして保持ブロック３でアーマロッドＡを保持し、ダブルフック４を安全帯のフックなどに掛けてアーマロッドＡを長袋に入れ、作業員が鉄塔に登る。次に、アーマロッドＡを架空送電線Ｌに巻き付ける際には、上記のようにしてダブルフック４を架空送電線Ｌに係止し、図３に示すように、アーマロッドＡを架空送電線Ｌに２、３回巻き付ける。これにより、アーマロッドＡが架空送電線Ｌに仮固定され、アーマロッドＡが架空送電線Ｌから落下することがない。
【００２２】
その後に、ダブルフック４を架空送電線Ｌから外すとともに、保持ブロック３をアーマロッドＡから取り外し、架空送電線ＬへのアーマロッドＡの巻き付けを続行する。このような取付作業をすべてのアーマロッドＡに対して行う。
【００２３】
また、アーマロッドＡを架空送電線Ｌから取り外す場合には、取付作業と逆の操作・作業を行う。すなわち、２、３巻きだけ残してアーマロッドＡを架空送電線Ｌからほどき外し、保持ブロック３でアーマロッドＡを保持して、ダブルフック４を架空送電線Ｌに係止する。次に、アーマロッドＡを架空送電線Ｌから完全にほどき外し、ダブルフック４を架空送電線Ｌから外して安全帯のフックなどに掛けて、アーマロッドＡを長袋に入れる。そして、この状態で、作業員が鉄塔から降りるものである。
【００２４】
以上のように、このアーマロッド取付補助具１によれば、アーマロッドＡを落下させることなく、安全かつ容易にアーマロッドＡを架空送電線Ｌに取り付けたり取り外したりすることができる。すなわち、作業員が鉄塔を登り降りする際には、保持ブロック３でアーマロッドＡを保持し、ダブルフック４を安全帯のフックなどに掛けることで、アーマロッドＡの落下を防止することができる。また、アーマロッドＡを架空送電線Ｌに取り付けたり取り外したりする際には、ダブルフック４を架空送電線Ｌに係止することで、アーマロッドＡが架空送電線Ｌに連結されてアーマロッドＡの落下を防止することができる。しかも、上記のように、ダブルフック４が架空送電線Ｌから外れ難いようになっているため、ダブルフック４が外れることによるアーマロッドＡの落下をより確実に防止することができる。
【００２５】
そして、アーマロッドＡの落下のおそれがないため、安心して作業が行え、この結果、安全かつ容易にアーマロッドＡを架空送電線Ｌに取り付けたり取り外したりすることができ、作業効率の向上、作業時間の短縮化を図ることが可能となる。さらに、ダブルフック４を架空送電線Ｌに係止してアーマロッドＡを架空送電線Ｌに接続することで、両手で容易に取付作業などを行うことができ、作業効率の向上、作業時間の短縮化をさらに図ることが可能となる。
【００２６】
一方、アーマロッド取付補助具１は、ワイヤ２と保持ブロック３とダブルフック４とを備えるだけの簡易な構成のため、低費用で製作することが可能となる。しかも、簡易な構成で軽量化が可能なため、使い勝手が良好である。
【００２７】
特に、保持手段がゴムなどの保持ブロック３で構成されているだけであるため、構成が簡易である。しかも、装着溝３１にアーマロッドＡを圧入するだけでアーマロッドＡを保持でき、装着溝３１からアーマロッドＡを引き抜くだけでアーマロッドＡの保持を解除できるため、容易かつ迅速にアーマロッドＡを着脱することができる。
【００２８】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、保持手段を上記のような保持ブロック３で構成しているが、クランプ・クリップなどで構成してもよい。また、係止手段を逆Ｊ字状のフック４１、４２で構成しているが、安全帯のフックのように、外れ止め（抜け止め）を備えるフックで構成してもよい。一方、装着溝３１を波状に形成しているが、アーマロッドＡの形状や変形性などによっては、直線状に形成してもよい。
【符号の説明】
【００２９】
１        アーマロッド取付補助具
２        ワイヤ
３        保持ブロック（保持手段）
３１      装着溝
４        ダブルフック（係止手段）
４１      第１のフック
４２      第２のフック
Ａ        アーマロッド
Ｌ        架空送電線（電線）
【図１】
2016171651.tif 000003
【図２】
2016171651.tif 000004
【図３】
2016171651.tif 000005